(57)【要約】【課題】  共通のシールドケースに部品の実装位置の異なる複数種の基板を収容することが可能な自由度が高く、低コスト化を図ったデジタル放送受信装置を提供する。【解決手段】  デジタルテレビ１内に、電子部品を実装した基板を包み込む金属製のシールドケース３９を備え、シールドケース３９に切り離しが可能な分離部２６を備える。シールドケース３９内にこのシールドケース３９とほぼ同じ大きさのデジタル基板３０を収容する際はそのまま収容し、このデジタル基板３０より小さいデジタル基板４０に実装されるデジタルチューナー３６が、シールドケース３９の高さを越える際は、シールドケース３９から分離部を切り離した位置にそれを配置する。共通のシールドケース３９にデジタル基板３０，４０の夫々を収容することで、基板３０、４０ごとに複数種のシールドケース３９を製造する必要がなくコストを抑えることができる。【選択図】  図１６
2006310965.tif 000002
【特許請求の範囲】
【請求項１】
電子部品を実装した基板を包み込む金属製のシールドケースを備えたデジタル放送受信装置であって、前記シールドケースに切り離しが可能な分離部を形成し、前記シールドケースには切り起こし部を形成可能に平行な溝部を形成し、前記シールドケースとほぼ同じ大きさの基板を前記シールドケースに収容する際は、前記分離部の切り離し及び前記切り起こし部の切り起こしを行わずに前記基板を収容し、この基板より小さい基板を前記シールドケースに収容する際は、前記切り起こし部の切り起こしを行い、この切り起こし部に前記小さい基板を取り付け、且つ前記小さい基板に実装される部品が、シールドケースの高さを越える際は、前記シールドケースから前記分離部を切り離し、この切り離した位置に、前記シールドケースの高さを越える部品を設けたことを特徴とするデジタル放送受信装置。
【請求項２】
前記小さい基板に実装される前記シールドケースの高さを超える部品は、デジタルチューナーであり、前記シールドケースとほぼ同じ大きさの基板には前記デジタルチューナーを横方向に伏設して実装する一方で、前記小さい基板には前記デジタルチューナーを縦方向に立設して実装することを特徴とする請求項１記載のデジタル放送受信装置。
【発明の詳細な説明】
【技術分野】
【０００１】
本発明は、電磁波ノイズを遮蔽するシールドケースを共通して用いたデジタル放送受信装置に関する。
【背景技術】
【０００２】
従来から、デジタルテレビなどのデジタル放送受信装置に備えられる映像処理部等の発熱部品が実装されたデジタル回路基板は、電気的に接続されると発熱及びノイズが発生する性質があるため、この発熱部品と近接する回路基板に実装された種々の電子部品などと相互に干渉することが多々起こることから、こうした干渉により起こり得る不具合を解消するために、金属部材からなるノイズを遮蔽するシールドケースで、電子部品の実装された基板を包み込むようにしている。また、シールドケースにより発熱部品を包み込むように覆った際には、シールドケース内に発熱部品から発生した熱が、こもってしまい高温になってしまうことから、熱がシールドケース内にこもらないように放熱するためには、発熱部品とシールドケースの一部とを直接又は金属片などを介して接続するように構成し、シールドケースに熱を伝導させこのシールドケースの表面から放熱させたり、シールドケースに通気孔を形成するなどして、発熱部品が発する熱や輻射ノイズ対策をおこなっている。しかし、こうした対策を講じるために、シールドケースを設けるとなると、部品点数の増加に伴いコストが高くなってしまうといった課題を有している。
【０００３】
このような背景技術に関連するものとして特許文献１には、基板に載置される発熱部品の実装位置に応じて、金属製の個片を逆台形状にシールドケース上蓋の平面部の内側に設け、発熱部品と接するようにしてシールドケースを共通して使用する方法が開示されている。
【０００４】
【特許文献１】特開平９−６４５８２号公報
【発明の開示】
【発明が解決しようとする課題】
【０００５】
しかし、特許文献１などにおいては、発熱部品の実装位置に応じてそれに接するように金属製の個片をシールドケースに設けたりするものであり、回路基板の大きさや実装する部品の高さには何ら対応しているものではなく、単独の所定の大きさの基板のみをシールドケースに収納するものであり、収容される基板の大きさや位置が限定される。
【０００６】
本発明は上記背景技術を鑑みてなされたものであり、共通のシールドケースに部品の実装位置の異なる複数種の基板を収容することが可能な自由度が高く、低コスト化を図ったデジタル放送受信装置を提供することを目的とする。
【課題を解決するための手段】
【０００７】
請求項１に係るデジタル放送受信装置は、電子部品を実装した基板を包み込む金属製のシールドケースを備えたデジタル放送受信装置であって、前記シールドケースに切り離しが可能な分離部を形成し、前記シールドケースには切り起こし部を形成可能に平行な溝部を形成し、前記シールドケースとほぼ同じ大きさの基板を前記シールドケースに収容する際は、前記分離部の切り離し及び前記切り起こし部の切り起こしを行わずに前記基板を収容し、この基板より小さい基板を前記シールドケースに収容する際は、前記切り起こし部の切り起こしを行い、この切り起こし部に前記小さい基板を取り付け、且つ前記小さい基板に実装される部品が、シールドケースの高さを越える際は、前記シールドケースから前記分離部を切り離し、この切り離した位置に、前記シールドケースの高さを越える部品を設けたことを特徴とする。
【０００８】
請求項１の構成によれば、シールドケースを共通して使用することで、基板ごとに複数種のシールドケースを製造する必要がなく、シールドケースとほぼ同じ大きさの基板をシールドケースに収容する際には、シールドケースの加工を行わずにこのシールドケース内に組み付けることができる一方で、シールドケースとほぼ同じ大きさの基板よりも小さく、シールドケースより高さのある部品を実装した基板をシールドケースに収容する際は、前記切り起こし部を形成して、この切り起こし部に小さい基板を取り付け、分離部を切り離した位置にシールドケースの高さを越える部品を配置することで、シールドケースに大きさの異なる基板を共通して収容することができる。
【０００９】
請求項２に係るデジタル放送受信装置は請求項１において、前記小さい基板に実装される前記シールドケースの高さを超える部品は、デジタルチューナーであり、前記シールドケースとほぼ同じ大きさの基板には前記デジタルチューナーを横方向に伏設して実装する一方で、前記小さい基板には前記デジタルチューナーを縦方向に立設して実装することを特徴とする。
【００１０】
請求項２の構成によれば、前記デジタルチューナーはデジタル放送を受信して、映像信号を出力するデジタル放送受信装置に必須の部品であって、一般的に形状が直方体からなるが相対的に他の部品と比べ比較的大きく、小さい基板にデジタルチューナーを横置きに実装するとなると実装面積を大きくとってしまい不向きであり、小さい基板にデジタルチューナーを縦方向に実装することで、比較的小さい基板であってもデジタルチューナーを実装することが可能となる。
【発明の効果】
【００１１】
請求項１の発明によれば、デジタル放送受信装置は、電子部品を実装した基板を包み込む金属製のシールドケースを備えたデジタル放送受信装置であって、前記シールドケースに切り離しが可能な分離部を形成し、前記シールドケースには切り起こし部を形成可能に平行な溝部を形成し、前記シールドケースとほぼ同じ大きさの基板を前記シールドケースに収容する際は、前記分離部の切り離し及び前記切り起こし部の切り起こしを行わずに前記基板を収容し、この基板より小さい基板を前記シールドケースに収容する際は、前記切り起こし部の切り起こしを行い、この切り起こし部に前記小さい基板を取り付け、且つ前記小さい基板に実装される部品が、シールドケースの高さを越える際は、前記シールドケースから前記分離部を切り離し、この切り離した位置に、前記シールドケースの高さを越える部品を設けたので、基板ごとに複数種のシールドケースを製造する必要がなく、シールドケースの共通化を図ることで、製造コストの削減ができ低コスト化を図ったデジタル放送受信装置を提供することが可能となる。
【００１２】
請求項２の発明によれば、請求項１において前記小さい基板に実装される前記シールドケースの高さを超える部品は、デジタルチューナーであり、前記シールドケースとほぼ同じ大きさの基板には前記デジタルチューナーを横方向に伏設して実装する一方で、前記小さい基板には前記デジタルチューナーを縦方向に立設して実装したので、小さい基板であってもデジタルチューナーを縦方向に設けることで実装でき且つシールドケースに収容することが可能になり、共通のシールドケースを使用することにより、コストを安価に抑えることができる。
【発明を実施するための最良の形態】
【００１３】
以下、本発明を実施するための最良の形態としての実施例を図１〜図１６により説明する。なお本発明は、その趣旨に反しない範囲で実施例において説明した以外のものに対しても容易に適用可能なことは説明を要するまでもない。
【００１４】
図１はデジタルテレビを示す斜視図、図２はデジタルテレビのバックキャビネットを取り外した状態を示す背面図、図３はデジタルテレビのバックキャビネットを取り外した状態の要部を示す背面図、図４はデジタルテレビに備えられるシールドケースの上蓋を示す斜視図、図５はシールドケースの上蓋を示す断面図、図６はシールドケースの下蓋を示す斜視図、図７は下蓋にカードスロットを実装したデジタル基板を配置した状態を示す説明図、図８は上蓋と下蓋からなるシールドケースを示す分解斜視図、図９はカードスロットを実装したデジタル基板を収容したシールドケースを示す斜視図である。
【００１５】
図１に示すように、デジタル放送受信装置たるデジタルテレビ１は、その外形がほぼ箱型の合成樹脂製のキャビネット２で構成され、このキャビネット２は、前後に着脱可能に分割されるフロントキャビネット２ａとバックキャビネット２ｂからなり、フロントキャビネット２ａの正面側中央には、映像を表示する表示部３を有している。
【００１６】
キャビネット２内には、他の電子機器と接続するジャック部１５から入力されたアナログ映像音声信号とデジタル映像音声信号から所定の映像音声信号を選択し、選択したアナログ音声信号とデジタル音声信号から所定の音声信号を選択するＡＶ（Ａｕｄｉｏ  ａｎｄ  Ｖｉｓｕａｌ）回路基板１０を水平に配置し、このＡＶ回路基板１０とカードスロット３８を実装したデジタル回路基板３０とが平行に２層配置され、これら平板状の基板１０，３０の内の一方である後述する種々の部品の実装されたデジタル回路基板３０が、電磁波を遮蔽する金属製のシールドケース３９により包み込むように覆われている。
【００１７】
また、一般的に前記デジタル基板３０に実装される各種電子部品などは、デジタルテレビ１の電源のオン状態にある際、電磁波を放出するため、デジタルテレビ１と隣接して配置される他の電子機器や前記デジタル基板３０の近傍に配置された電磁波ノイズの影響を受け易い電子部品などに電磁波ノイズの影響を与える恐れがあることから、本実施例においては、それらを防止するために、電磁波などのノイズを遮蔽する薄型であってほぼ箱型のシールドケース３９内に前記デジタル基板３０を包み込むように収容することで、デジタル基板３０に実装されている電子部品から放出される電磁波が、例えば、ＡＶ回路基板１０などに実装されている電磁波の影響を受け易い種々の電子部品などに電磁波ノイズの影響を及ぼすことがないよう金属製のシールドケース３９で遮蔽することが可能となっている。なお、カードスロット３８を実装したデジタル基板３０は、図７に示すように、シールドケース３９の外形とほぼ同じ大きさを有し、デジタル放送を受信可能な方送受信回路を構成するものでシールドケース３９に収容されている。なお、カードスロット３８は課金放送を受信する際に用いられるもので、これに課金放送用のユーザーカードを挿入することでデジタル放送を受信可能になっている。
【００１８】
また、シールドケース３９には、このシールドケース３９の映像処理部１２からの発熱によりシールドケース３９内にこもった熱を放熱する複数の通気小孔２１が形成され、シールドケース３９の内面とシールドケース内３９に収容された映像処理部１２の表面とを金属製の板ばね２０を介在させて接続することにより、発熱部品としての映像処理部１２からの熱を板ばね２０から表面積の比較的大きいシールドケース３９に伝導させることで、放熱を効果的におこなうことができる。
【００１９】
また、上記ＡＶ回路基板１０には、デジタルインターフェイス部１４、映像補正部１６や他の電子機器との接続に用いるジャック部１５等が設けられており、ＡＶ回路基板１０は、カードスロット３８を実装したデジタル基板３０と電気的に接続されている。
【００２０】
デジタル回路基板３０には、前述したカードスロット３８、映像処理部１２、横方向に伏設したデジタル放送の信号を受信するデジタルチューナー３６や各種電子部品などが実装されるもので、シールドケース３９の下蓋３９ｂの周縁に形成した基板載置部２５ａにデジタル回路基板３０を載置してその基板３０の両端を固定した状態で、図８に示すように、下蓋３９ｂの孔部２５ｂと上蓋３９ａの孔部１９とを合わせ、孔部２５ｂと取付孔２３にネジを挿通させ、上蓋３９ａと下蓋３９ｂとが一体的にネジ止め固定される。
【００２１】
なお、発熱部品である映像処理部１２の上面には放熱及び輻射対策のための金属部材からなる放熱部材１３が設けられ、映像処理部１２と放熱部材１３とが確実に接触するように、一端が上蓋３９ａに固定された板ばね２０の弾性力により押圧されるようになっている。
【００２２】
ここで、シールドケース３９についてさらに詳細を説明する。シールドケース３９の上面及び下面に有する平面部２９、及び上蓋３９ａと下蓋３９ｂには、映像処理部１２から発生した熱を放熱するための前述した通気小孔２１が複数形成され、また、側壁２５には各種部品を挿通するための部品挿通孔２４が備えられている。なお、側壁２５は平面部２９に対して直角に連続形成され、シールドケース３９は上蓋３９ａと下蓋３９ｂとを一体的に組み付けることで略直方体を成す構造となっている。
【００２３】
上蓋３９ａには、図４及び図５に示すように、取り付け孔２３を形成した倒立したＬ字状の突起片２２が平面部２９より上方に突設して一体に形成されており、取付孔２３にＡＶ回路基板１０がネジ止めされ固定される。
【００２４】
また、シールドケース３９には、カードスロット３８を実装したデジタル基板３０に代えて、これより小さいカードスロット３８を実装しないデジタル回路基板４０を実装する時に、上蓋３９ａに形成された溝部２８から、分離部２６を切り離し、且つ、下蓋３９ｂの平面部２９に二列平行に形成しておいた溝部２８間の部分を台形状に突設させた切り起こし部２７を形成することで、シールドケース３９の一部を切り離すと共に加工して形態を簡単に変えることが可能となっていて、前述したシールドケース３９にカードスロット３８を実装したデジタル回路基板３０を収容する際は、側壁２５より直角に連続形成されてなる上蓋３９ａの平面部２９より一段低く形成された基板載置部２５ａにデジタル回路基板３０を載置した状態で、上蓋３９ａと下蓋３９ｂとが一体的に固定できる一方で、分離部２６を切り離し、溝部２８間の部分を台形状に突設させて、ここにカードスロット３８を実装しないデジタル回路基板４０の一端を固定することができ、後述するカードスロット３８を実装したデジタル回路基板３０より小さい、カードスロットを実装しないデジタル回路基板４０を共通のシールドケース３９に兼用して収容することが可能となっている。
【００２５】
次に、シールドケース３９にデジタル回路基板３０より小さい、カードスロットを実装しないデジタル回路基板４０を共通化して収容した状態を、図１０〜図１６にて説明する。図１０は図３と同様にデジタルテレビのバックキャビネットを取り外した状態を示す背面図、図１１はシールドケースの上蓋から分離部を切り離した状態を示す斜視図、図１２はシールドケースの下蓋に台形状の切り起こし部を形成した状態を示す斜視図、図１３はシールドケースの下蓋に台形状の切り起こし部を形成した状態を示す断面図、図１４は下蓋にカードスロットを実装しないデジタル基板を配置した状態を示す説明図、図１５はカードスロットを実装しないデジタル基板を収容したシールドケースを示す斜視図、図１６は分離部を切り離した上蓋と台形状の切り起こし部を下蓋に形成した状態のシールドケースを示す分解斜視図である。
【００２６】
図２及び図１４に示すように、シールドケース３９は、このシールドケース３９の外形より小さなカードスロットを実装しないデジタル基板４０を収容したものであり、図１〜図９に示した構造との相違点は、カードスロット３８を実装したデジタル基板３０よりも小さい、実際にはカードスロット３８を実装しない小さいデジタル基板４０を配置しているため、デジタル基板４０の表面積のスペース的制約により、デジタル基板４０にはデジタルチューナー３６を伏せた状態で実装することは困難であるため、デジタルチューナー３６をデジタル基板４０に縦方向に立設して実装している点、発熱部品たる映像処理部１２の実装位置が異なる点にあり、デジタルチューナー３６を縦方向に立設させた状態でデジタル基板４０に実装すると共に、且つシールドケース３９の所定位置に前記デジタル基板４０を収納するために、図１１及び図１２に示すように、上蓋３９ａの分離部２６を切り離し、デジタル基板４０の大きさに対応して下蓋３９ｂに台形状の切り起こし部２７を形成することにより、上蓋３９ａに、デジタル基板４０に実装した映像処理部１２を板ばね２０を介して接続でき、上蓋３９ａと下蓋３９ｂとを一体的に組み付けることができるので、前記シールドケース３９の上蓋３９ａに有する分離部２６の切り離し、及び下蓋３９ｂの台形状の切り起こし部２７を、デジタル基板３０からこれと別のデジタル基板４０の大きさに合わせ、単に、シールドケース３９の一部を加工することで、異なる大きさの基板を一つのシールドケース３９に共通化して収容することが可能となる。
【００２７】
なお、カードスロット３８を実装しないデジタル基板４０をシールドケース３９内の所定位置に配置する際には、水平なデジタル基板４０に対し、デジタルチューナー３６を縦方向に垂直に実装すると、デジタルチューナー３６はシールドケース３９の高さを超えるため、上蓋３９ａに予め形成しておいた略Ｌ字状の分離部２６を、上蓋３９ａの溝部２８より完全に切り離し、この切り離した部分を利用してデジタルチューナー３６を縦型に配置するものであり、下蓋３９ｂの平面部２９に形成した二列平行に備えられた溝部２８を突出するように起こし、台形状の切り起こし部２７を形成し、この切り起こし部２７の上面と、基板載置部２５ａとを同じ高さになるように切り起こし部２７の上面を形成することで、シールドケース３９内の切り起こし部２７にデジタル基板４０を水平に載置した状態で、切り起こし部２７に形成した取付孔２３にネジなどにより固定することができる。
【００２８】
以上のように本実施例におけるシールドケース３９を共通化して使用可能なデジタルテレビ１は、予めシールドケース３９の上蓋３９ａに溝部２８を形成し、この溝部２８から切り離し可能な分離部２６を上蓋３９ａに設け、平行に二列の溝部２８からなる台形状に切り起こしが可能な切り起こし部２７を下蓋３９ｂに形成し、シールドケース３９とほぼ同じ大きさのカードスロット３８を実装したデジタル基板３０をシールドケース３９に収容する際は、分離部２６の切り離し及び切り起こし部２７の切り起こしをすることなくそのままデジタル基板３０を基板載置部２５ａに載置して収容することができる一方で、カードスロット３８を実装した前記基板３０より小さいデジタル基板４０をシールドケース３９に収容する際は、このデジタル基板４０にデジタルチューナー３６を縦方向に実装するために、上蓋３９ａの溝部２８から分離部２６を切り離し、下蓋３９ｂの切り起こし部２７を台形状などに突出するように切り起こし部２７を形成し、その切り起こし部２７の上面と基板載置部２５ａとが水平になるように設けた状態で、前記デジタル基板４０の一端を基板載置部２５ａに載置して固定し、もう一端は前記切り起こし部２７に固定してシールドケース３９に収容することができる。即ち、前記各基板３０、４０に実装するデジタルチューナー３６などの、部品の高さや配置構成が異なる場合があっても、共通のシールドケース３９に組み付けることができ、また前記各基板３０、４０の大きさが異なる場合であっても、前記各基板３０、４０の両端などをシールドケース３９に固定することにより同様の放熱効果を得ることができるので、配置構成の自由度が増すと共に、共通化を図ることでコストを安価に抑えることができ、ひいては、安価なデジタルテレビ１を提供することが可能となる。
【００２９】
また、板ばね２０は熱伝導性を有する金属片であり、その一端が上蓋３９ａに固定され、シールドケース３９の上蓋３９ａと下蓋３９ｂとを一体的に組み付けた際、発熱部品たる映像処理部１２を弾性付勢するので、この映像処理部１２若しくはこの映像処理部１２と当接された放熱部材１３と、上蓋３９ａの内面とを接続して、比較的表面積の大きい金属製のシールドケース３９から放熱することができるので、映像処理部１２からの熱を効果的に放熱することが可能となる。
【００３０】
さらに、デジタルテレビ１は、共通のシールドケース３９に前記シールドケース３９とほぼ同じ大きさのカードスロット３８を実装したデジタル基板３０、又はこれより小さいデジタル基板４０を収納することができ、シールドケース３９に各デジタル基板３０、４０を実装した際のデジタルチューナー３６などの部品の高さや位置に応じて、シールドケース３９を複数種製造する必要がないので、製造コストの削減を図ることができる。
【００３１】
また、デジタル基板３０、４０は比較的高価であり、小さい大きさのデジタル基板４０にデジタルチューナー３６を縦方向に垂直に実装することで、デジタルチューナー３６を実装する占有面積を小さくすることができるので、デジタル基板３０の部品コストの削減を図ることができ、さらにシールドケース３９に分離部２６、及び台形状に加工する事が可能な切り起こし部２７を備えるので、共通のシールドケース３９に対し、デジタルチューナー３６を実装するその向きなどに対応でき、異なった大きさのデジタル基板３０，４０であっても、これらをシールドケース３９に組み付けることが可能となり、このように兼用することで、部品の共通化を図り低コスト化を図ることができる。
【００３２】
しかも、板ばね２０は熱伝導性を有する金属片であり、その一端を上蓋３９ａに固定して、放熱部材１３などを押圧して弾性付勢するので、確実に発熱部品である映像処理部１２の上面にある放熱部材１３と当接させることが可能になり、基板３０，４０上で、特に高温になり易い映像処理部１２から発生する熱を効率よく放熱できると共に、この映像処理部１２から発生する輻射ノイズをシールドケース３９で包み込むことで抑えることができる。従って、これらの要因から起こり得る故障や損傷を回避することができる。また、板ばね２０は別個片の部品であり、適宜必要に応じて放熱部材１３の位置に合わせて固定位置を変えることも可能である。
【００３３】
また、本実施例においては発熱部品を映像処理部１２としているが、もちろんこれに限定するものではなく、板ばね２０は、シールドケース３９と一体成形してもよい。
【００３４】
なお、本実施例においては、大きさの異なるデジタル回路基板３０、４０の一例として、カードスロット３８の実装の有無や、デジタルチューナー３６を縦方向に立設した場合、伏せて配置した構造で説明したが、これらの部品に限定するものではなく当然別の部品等や異なる回路を構成する回路基板であっても適用することはでき、デジタルテレビ１のみならず、デジタル放送を受信可能な種々の電子機器などであっても同様の効果が得られる。
【図面の簡単な説明】
【００３５】
【図１】本発明の一例のデジタルテレビを示す斜視図である。
【図２】同上、デジタルテレビのバックキャビネットを取り外した状態を示す背面図である。
【図３】同上、デジタルテレビのバックキャビネットを取り外した状態の要部を示す背面図である。
【図４】同上、図４はデジタルテレビに備えられるシールドケースの上蓋を示す斜視図である。
【図５】同上、シールドケースの上蓋を示す断面図である。
【図６】同上、シールドケースの下蓋を示す斜視図である。
【図７】同上、下蓋にカードスロットを実装したデジタル基板を配置した状態を示す説明図である。
【図８】同上、上蓋と下蓋からなるシールドケースを示す分解斜視図である。
【図９】同上、カードスロットを実装したデジタル基板を収容したシールドケースを示す斜視図である。
【図１０】同上、デジタルテレビのバックキャビネットを取り外した状態を示す背面図である。
【図１１】同上、シールドケースの上蓋から分離部を切り離した状態を示す斜視図である。
【図１２】同上、シールドケースの下蓋に台形状の切り起こし部を形成した状態を示す斜視図である。
【図１３】同上、シールドケースの下蓋に台形状の切り起こし部を形成した状態を示す断面図である。
【図１４】同上、下蓋にカードスロットを実装しないデジタル基板を配置した状態を示す説明図である。
【図１５】同上、カードスロットを実装しないデジタル基板を収容したシールドケースを示す斜視図である。
【図１６】同上、分離部を切り離した上蓋と台形状の切り起こし部を下蓋に形成した状態のシールドケースを示す分解斜視図である。
【符号の説明】
【００３６】
１  デジタルテレビ（デジタル放送受信装置）
２６  分離部
２７  切り起こし部
２８  溝部
３０  カードスロットを実装したデジタル基板（ほぼ同じ大きさの基板）
３６  デジタルチューナー（部品）
３９  シールドケース
４０  カードスロットを実装しないデジタル基板（小さい基板）
【図１】
2006310965.tif 000003
【図２】
2006310965.tif 000004
【図３】
2006310965.tif 000005
【図４】
2006310965.tif 000006
【図５】
2006310965.tif 000007
【図６】
2006310965.tif 000008
【図７】
2006310965.tif 000009
【図８】
2006310965.tif 000010
【図９】
2006310965.tif 000011
【図１０】
2006310965.tif 000012
【図１１】
2006310965.tif 000013
【図１２】
2006310965.tif 000014
【図１３】
2006310965.tif 000015
【図１４】
2006310965.tif 000016
【図１５】
2006310965.tif 000017
【図１６】
2006310965.tif 000018